(57)【特許請求の範囲】
【請求項１】
表面材と裏面材にてフェノール樹脂を主成分とする合成樹脂発泡体からなる芯材をサンドイッチした建築用パネルにおいて、少なくとも前記表面材に長尺状の凹凸リブを形成すると共に、該表面材の裏面側に凹凸リブの凹部分に接着剤を介して通気性シートを配設したことを特徴とする建築用パネル。
【発明の詳細な説明】
【０００１】
【産業上の利用分野】
本発明は建築、構築物の内壁材、外壁材、屋根材、天井材、床材、間仕切り材、あるいは防火戸、等として使用でき、かつ、製造後に膨れ、反り等の変形がなく、しかも防火性、耐火性、機械強度に優れた建築用パネルに関するものである。
【０００２】
【従来の技術】
一般に、薄板状の表面材と裏面材にてフェノール樹脂発泡体（フェノールフォーム）からなる芯材をサンドイッチした建築用パネルは数多く発明、考案されて上市されている。
【０００３】
【発明が解決しようとする課題】
しかしながら、上記のような芯材としてフェノールフォームを使用した建築用パネルでは、▲１▼一般的にフェノールフォームの自己接着性が弱く、表面材、裏面材と芯材との接着性に劣り、剥離が生じ易いものであった。▲２▼また、一般に芯材を各種合成樹脂発泡体とした際には、建築用パネル自体の機械強度に劣り、しかも合成樹脂発泡体の経時変化により、建築用パネル表面に凹凸が生じたり、反ったりする不具合が生じることがある場合もあった。▲３▼さらに、芯材の形成時に反応ガスが発生して芯材内に残留したり、フェノールフォーム中に、反応の際の縮合水が重量の数１０パーセント位が保持され、製品の養生期間、あるいは建築用パネルの施工後に、外気温等の変化により、水分が水蒸気化し、逃げ道が無いために、建築用パネルの表面材もしくは裏面材と芯材間に残留し、建築用パネルの表面材裏面や裏面材裏面にガス膨れが発生したり、反ったりする等、経時的に建築用パネルに悪影響をおよぼす不具合を生じることもあった。
【０００４】
【課題を解決するための手段】
本発明はこのような欠点を除去するために、表面材と芯材との間に通気性シートを介在したので、建築用パネル自体の機械強度を向上させると共に、芯材との接着強度を向上させ、通気性シートと表面材の凹凸リブにより形成される空隙から、芯材内の反応ガスや水蒸気を建築用パネル外部に放出し、製造後の建築用パネルに反りやふくれ等の悪影響をおよぼさない建築用パネルを提案するものである。
【０００５】
【実施例】
以下に図面を用いて、本発明に係る建築用パネルＡの一実施例について詳細に説明する。すなわち、建築用パネルＡは断面図である図１（ａ）、および図１（ａ）におけるイ部分の拡大図である図１（ｂ）に示すように、表面材１と裏面材２でフェノール樹脂を主原料とする合成樹脂発泡体からなる芯材３を、サンドイッチした建築用パネルＡであり、少なくとも表面材１の裏面側（芯材３側の面）に接着剤４を介して、通気性シート５を配したものである。
【０００６】
表面材１、裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【０００７】
さらに、少なくとも表面材１には凹部分６ａと凸部分６ｂからなる凹凸リブ６を連続的に形成するものである。この凹凸リブ６は表面材１の機械的強度を向上すると共に、後記する通気性シート５と接着剤４を介して貼着されるものである。
【０００８】
また、芯材３はフェノール樹脂を主原料とした合成樹脂発泡体からなるものであり、例えばレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【０００９】
通気性シート５は例えば図２（ａ）に示すようなシート状物、あるいは図２（ｂ）に示すようなメッシュ状物からなり、通気性を有するものである。また、通気性シート５は建築用パネルＡ自体の機械強度を向上させると共に、芯材３と表面材１との接着強度を向上させるものである。
【００１０】
また、通気性シート５は、接着剤４を介して表面材１の凹凸リブ６の凹部分６ａに接着されるものであり、通気性シート５と凹凸リブ６の凸部分６ｂとの間に断面略三角形状の空隙αが形成されるものである。
【００１１】
この空隙αには図１（ｂ）の矢印により示すように、芯材３の製造後に芯材３内から発生する反応ガスや水蒸気が通気性シート５を介して放出される部分であり、さらに放出されたガスは空隙αを介して建築用パネルＡの木口部分から外部に放出され、製造後の建築用パネルＡに反り、ふくれ等の悪影響をおよぼさないようにするものである。
【００１２】
さらに、接着剤４の例としては、エラストマー型エポキシ樹脂、イソシアネート、例えばメチレンジイソシアネート（略称ＭＤＩ）等のエマルジョンタイプ、ホットメルトタイプ、および、その変性イソシアネート、例えばウレタン変性、ビュレット変性イソシアネート、イソシアヌレート変性イソシアネート等の１種を用いるものであり、芯材３からの反応ガスや水蒸気の放出を妨げないために通気性タイプにするか、もしくは図１（ｂ）に示すように表面材１の凹凸リブ６の凹部分６ａにのみ接着剤４を塗布するものである。
【００１３】
また、建築用パネルＡの全体形状の例としては図３に示すように、金属製長尺状の薄板からなる表面材１、裏面材２と幅方向の一端に形成した雄型連結部７、他端に形成した雌型連結部８、および化粧面９とから形成したものであり、凹凸リブ６が建築用パネルＡの長手方向に沿って設けられているものである。また、図では特に建築用パネルＡ同士の連結で生じる目地部に無機ボード１０、無機系パッキング材１１を介在して、さらに防火性、耐火性の向上を図った建築用パネルＡとしたものである。
【００１４】
【その他の実施例】
以上説明したのは、本発明に係る建築用パネルＡの一実施例であり、図４に示すような建築用パネルＡとすることもできる。すなわち、図４は裏面材２にも凹凸リブ６を形成し、通気性シート５を形成した建築用パネルＡとしたものである。
【００１５】
【発明の効果】
以上説明したように本発明に係る建築用パネルによれば、▲１▼凹凸リブと通気性シートにより建築用パネル自体の機械強度が向上する。▲２▼接着剤を使用するために表面材と芯材との接着強度が向上する。▲３▼通気性シートと表面材の凹凸リブにより形成される空隙から、芯材内の反応ガスや水蒸気を建築用パネル外部に放出でき、製造後の建築用パネルの反りやふくれ等を防止できる。等の特徴、効果がある。
【図面の簡単な説明】
【図１】本発明に係る建築用パネルの代表例を示す説明図である。
【図２】本発明に係る建築用パネルに使用する通気性シートの例を示す説明図である。
【図３】本発明に係る建築用パネルの全体形状の例を示す説明図である。
【図４】本発明に係る建築用パネルのその他の例を示す説明図である。
【符号の説明】
α  空隙
Ａ  建築用パネル
１  表面材
２  裏面材
３  芯材
４  接着剤
５  通気性シート
６  凹凸リブ
６ａ  凹部分
６ｂ  凸部分
７  雄型連結部
８  雌型連結部
９  化粧面
１０  無機ボード
１１  無機系パッキング材
【図１】
0003642439.tif 000002
【図２】
0003642439.tif 000003
【図３】
0003642439.tif 000004
【図４】
0003642439.tif 000005